(57)【要約】【課題】利用者が操作手順に戸惑うことなく各スイッチを円滑に操作することのできるクリーニングボックスを提供する。【解決手段】投入スイッチ４２、受取スイッチ４３及び取消スイッチ４４ごとに表示灯４２ａ，４３ａ，４４ａを設け、各表示灯４２ａ，４３ａ，４４ａの表示状態を各スイッチ４２，４３，４４の操作に応じて変化させるようにしたので、各表示灯４２ａ，４３ａ，４４ａの表示状態の変化によって操作手順を視覚的に認識することができる。【選択図】  図５
2004326183.tif 000002
【特許請求の範囲】
【請求項１】
利用者の洗濯物を収納する洗濯物収納部と、洗濯済みの仕上品を収納する仕上品収納部と、洗濯物収納部の扉を開放可能にする投入スイッチと、仕上品収納部の扉を開放可能にする受取スイッチと、洗濯物投入用スイッチまたは仕上品受取用スイッチの操作を取消す取消スイッチとを備えたクリーニングボックスにおいて、
前記各スイッチごとに設けられた複数の表示灯と、
各表示灯の表示状態を各スイッチの操作に応じて変化させる制御手段とを備えた
ことを特徴とするクリーニングボックス。
【請求項２】
前記制御手段を、各スイッチが何れも操作されていないときは各スイッチの表示灯をそれぞれ同一の所定の表示状態にし、何れかのスイッチが操作されると、操作されたスイッチの表示灯と、操作されていないスイッチのうち操作可能なスイッチの表示灯と、操作されていないスイッチのうち操作不能なスイッチの表示灯とを互いに異なった表示状態にするように構成した
ことを特徴とする請求項１記載のクリーニングボックス。
【請求項３】
利用者の所定のカードを受入れるカード受入部と、カード受入部にカードを受入可能にするカード受入許可手段とを備え、
前記制御手段を、カード受入許可手段によってカードを受入可能な状態にされると、各スイッチの表示灯を前記各スイッチ操作の表示状態とは異なった所定の表示状態にするように構成した
ことを特徴とする請求項２記載のクリーニングボックス。
【発明の詳細な説明】
【０００１】
【発明の属する技術分野】
本発明は、例えばコンビニエンスストアにおけるクリーニングサービスに用いられるクリーニングボックスに関するものである。
【０００２】
【従来の技術】
一般に、洗濯物の引受け及び仕上品の引渡しを人手によって行うクリーニング店を利用する場合には、クリーニング店の営業時間内に来店しなければならないが、利用者の都合上、所定の営業時間内に来店することができず、クリーニング店の利用に不便を来すという問題があった。
【０００３】
そこで、前記問題を解消するために、利用者が任意に洗濯物を投入可能な洗濯物受付機と、洗濯済みの仕上品を収納する複数のロッカーとを備えた店舗装置が提案されている（例えば、特許文献１参照。）。
【０００４】
この店舗装置では、利用者が店舗の洗濯物受付機に洗濯物を投入すると、洗濯業者等が洗濯物を回収してクリーニング工場で洗濯した後、洗濯済みの仕上品は無人店舗のロッカーに収納され、利用者は仕上品をロッカーから任意に受け取れるようになっている。その際、利用者が所定の会員カードを洗濯物受付機に挿入することにより、カードの識別情報から適正な利用者のカードであることが判別されると、洗濯物受付機またはロッカーの扉を開錠するようにしている。
【０００５】
また、前記店舗装置は、洗濯物受付機の扉を開放可能にする洗濯物投入用スイッチと、ロッカーの扉を開放可能にする仕上品受取用スイッチと、洗濯物投入用スイッチまたは仕上品受取用スイッチの操作を取消す操作取消用スイッチとを備え、これらのスイッチは利用者が任意に操作するようになっている。
【０００６】
【特許文献１】
特開平７−６５２３１号公報
【０００７】
【発明が解決しようとする課題】
しかしながら、前記店舗装置のように各スイッチを利用者によって操作させる場合には、操作に不慣れな利用者が操作手順に戸惑うなど、各スイッチの操作を円滑に行うことができず、利用者に対するサービスが十分でないという問題点があった。
【０００８】
本発明は前記問題点に鑑みてなされたものであり、その目的とするところは、利用者が操作手順に戸惑うことなく各スイッチを円滑に操作することのできるクリーニングボックスを提供することにある。
【０００９】
【課題を解決するための手段】
本発明は前記目的を達成するために、請求項１では、利用者の洗濯物を収納する洗濯物収納部と、洗濯済みの仕上品を収納する仕上品収納部と、洗濯物収納部の扉を開放可能にする投入スイッチと、仕上品収納部の扉を開放可能にする受取スイッチと、洗濯物投入用スイッチまたは仕上品受取用スイッチの操作を取消す取消スイッチとを備えたクリーニングボックスにおいて、前記各スイッチごとに設けられた複数の表示灯と、各表示灯の表示状態を各スイッチの操作に応じて変化させる制御手段とを備えている。これにより、各表示灯の表示状態が各スイッチの操作に応じて変化することから、各表示灯の表示状態の変化によって操作手順が視覚的に認識される。
【００１０】
また、請求項２では、請求項１記載のクリーニングボックスにおいて、前記制御手段を、各スイッチが何れも操作されていないときは各スイッチの表示灯をそれぞれ同一の所定の表示状態にし、何れかのスイッチが操作されると、操作されたスイッチの表示灯と、操作されていないスイッチのうち操作可能なスイッチの表示灯と、操作されていないスイッチのうち操作不能なスイッチの表示灯とを互いに異なった表示状態にするように構成している。これにより、請求項１の作用に加え、何れかのスイッチが操作された後、他のスイッチの操作可否状態を容易に判別することが可能となる。
【００１１】
また、請求項３では、請求項２記載のクリーニングボックスにおいて、利用者の所定のカードを受入れるカード受入部と、カード受入部にカードを受入可能にするカード受入許可手段とを備え、前記制御手段を、カード受入許可手段によってカードを受入可能な状態にされると、各スイッチの表示灯を前記各スイッチ操作の表示状態とは異なった所定の表示状態にするように構成している。これにより、請求項２の作用に加え、カードを受入可能な状態にされると、各表示灯がスイッチ操作における各表示状態とは異なった表示状態となることから、カードの投入待ちであることを容易に認識することが可能となる。
【００１２】
【発明の実施の形態】
図１乃至図１７は本発明の一実施形態を示すもので、図１はクリーニングボックスの正面図、図２はその斜視図、図３は洗濯物収納部の側面断面図、図４は仕上品収納部の側面断面図、図５はクリーニングボックス本体側のスイッチ及びカードリーダの正面図、図６は遠隔操作ユニットの正面図、図７は制御系を示すブロック図、図８乃至図１０は制御部の動作を示すフローチャート、図１１乃至図１７は表示灯の表示状態を示す正面図である。尚、図８乃至図１０のフローチャートは図中に示す番号で連続するものとする。
【００１３】
このクリーニングボックスは、図１に示すようにコンビニエンスストアの店舗内等に設置可能に形成されたクリーニングボックス本体１０を備え、クリーニングボックス本体１０は利用者の洗濯物Ａを収納する洗濯物収納部２０と、洗濯済みの仕上品Ｂを収納する仕上品収納部３０とを一体に有している。クリーニングボックス本体１０は、互いに間隔を有する金属製の外面板１１及び内面板１２を箱状に形成してなり、その下面には複数のキャスタ１３が取付けられている。また、本実施形態のクリーニングボックスは、クリーニングボックス本体１０側に設けられた本体側操作部４０と、クリーニングボックス本体１０から離れた所定位置に配置される遠隔操作ユニット５０と、クリーニングボックス本体１０側に設けられた制御部６０とを備えている。
【００１４】
クリーニングボックス本体１０の幅方向一端側には洗濯物収納部２０が配置され、洗濯物収納部２０の前面上部には洗濯物投入口２０ａが設けられている。洗濯物投入口２０ａは投入扉２１によって開閉するようになっており、投入扉２１の幅方向一端側はクリーニングボックス本体１０に回動自在に支持され、その幅方向他端側には取手２１ａが設けられている。投入扉２１には電磁ロック式の錠前からなる第１の施錠機構２２が設けられ、第１の施錠機構２２は後述する制御部によって施錠及び解錠動作を制御されるとともに、専用の鍵によって手動でも解錠可能に構成されている。また、洗濯物投入口２０ａにはマイクロスイッチ等からなる第１の扉センサ２１ｂが設けられ、第１の扉センサ２１ｂによって投入扉２１の開閉が検知されるようになっている。
【００１５】
洗濯物収納部２０の前面下部には洗濯物取出口２０ｂが設けられ、洗濯物取出口２０ｂは洗濯物投入口２０ａよりも上下方向の寸法を大きく形成されている。洗濯物取出口２０ｂは取出扉２３によって開閉するようになっており、取出扉２３は幅方向一端側をクリーニングボックス本体１０に回動自在に支持されている。取出扉２３には錠前２４が設けられ、錠前２４は専用の鍵によって手動で解錠されるようになっている。また、洗濯物取出口２０ｂにはマイクロスイッチ等からなる第２の扉センサ２３ｂが設けられ、第２の扉センサ２３ｂによって取出扉２３の開閉が検知されるようになっている。
【００１６】
洗濯物収納部２０内には電装品収納箱２５が設けられ、電装品収納箱２５は洗濯物投入口２０ａと洗濯物取出口２０ｂとの間に配置されている。また、洗濯物収納部２０内には洗濯物投入口２０ａの下端から後方に延びる仕切部２６が設けられ、仕切部２６の後端と洗濯物収納部２０内の背面との間には洗濯物Ａを通過可能な隙間が形成されている。この仕切部２６は電装品収納箱２５を上方、後方及び下方から囲むように設けられ、その上面は前方に向かって下り傾斜をなすように形成されている。仕切部２６の後端側には後方に向かって下り傾斜をなす傾斜部２６ａが設けられ、傾斜部２６ａは仕切部２６の上面の傾斜面に連続するように形成されている。また、洗濯物収納部２０の底面はクッション性のシート材からなる緩衝部材２７によって覆われている。更に、洗濯物収納部２０内には光センサ等からなる満杯センサ２８が設けられ、満杯センサ２８によって洗濯物収納部２０内の洗濯物Ａが仕切部２６の高さ位置まで溜まったことを検知するようになっている。
【００１７】
クリーニングボックス本体１０の幅方向他端側には仕上品収納部３０が配置され、仕上品収納部３０の前面には仕上品受取口３０ａが設けられている。仕上品受取口３０ａは受取扉３１によって開閉するようになっており、受取扉３１の幅方向一端側はクリーニングボックス本体１０に回動自在に支持され、その幅方向他端側には取手３１ａが設けられている。受取扉３１には電磁ロック式の錠前からなる第２の施錠機構３２が設けられ、第２の施錠機構３２は後述する制御部によって施錠及び解錠動作を制御されるとともに、専用の鍵によって手動でも解錠可能に構成されている。また、仕上品受取口３０ａにはマイクロスイッチ等からなる第３の扉センサ３１ｂが設けられ、第３の扉センサ３１ｂによって受取扉３１の開閉が検知されるようになっている。受取扉３１には仕上品収納部３０内を外部から透視可能な透視窓３１ｃが設けられ、透視窓３１ｃは透明板３１ｄによって覆われている。仕上品収納部３０内の上下方向複数箇所には複数の仕上品Ｂを吊り下げ可能な仕上品保持部材３３が取付けられており、各仕上品保持部材３３は両端を仕上品収納部３０内の両側面に固定された幅方向に延びるパイプ状部材からなる。
【００１８】
本体側操作部４０は洗濯物投入口２０ａと洗濯物取出口２０ｂとの間に配置され、所定の情報を記録したカードを読み取るカードリーダ４１と、洗濯物Ａの投入時に操作する投入スイッチ４２と、仕上品Ｂの受取時に操作する受取スイッチ４３と、投入スイッチ４２または受取スイッチ４３の操作を取消す取消スイッチ４４とを備えている。カードリーダ４１には光センサ等からなるカードセンサ４５が付設され、カードセンサ４５によってカードリーダ４１のカード投入口４１ａのカードが検知され、カードが残存している場合は、ブザー等によってカードの残存を報知するようになっている。各スイッチ４２，４３，４４は押ボタンスイッチからなり、各スイッチ４２，４３，４４にはＬＥＤ等の発光体からなる表示灯４２ａ，４３ａ，４４ａがそれぞれ設けられている。
【００１９】
遠隔操作ユニット５０は、例えば店内のカウンタ内に配置され、その幅方向両端には壁面等に取付けるための取付部５０ａが設けられている。遠隔操作ユニット５０は、カードリーダ４１へのカードの受入れの可否を選択するカード受入スイッチ５１と、投入扉２１、取出扉２３及び受取扉３１の開閉状態を表示する扉開閉表示灯５２と、仕上品収納部３０内の洗濯物Ａが満杯になったことを表示する満杯表示灯５３とを備え、各表示灯５２，５３はそれぞれＬＥＤ等の発光体からなる。
【００２０】
制御部６０はマイクロコンピュータによって構成され、第１及び第２の施錠機構２２，３２、第１の扉センサ２１ｂ、第２の扉センサ２３ｂ、第３の扉センサ３１ｂ、満杯センサ２８、カードリーダ４１、投入スイッチ４２、受取スイッチ４３、取消スイッチ４４、各スイッチ４２，４３，４４の表示灯４２ａ，４３ａ，４４ａ及びカードセンサ４５が接続されている。尚、各施錠機構２２，３２は、通常は施錠状態になっている。また、制御部６０は遠隔操作ユニット５０のカード受入スイッチ５１及び各表示灯５２，５３がケーブル等を介して接続されている。この制御部６０は、後記するプログラムに従って、投入スイッチ４２、受取スイッチ４３及び取消スイッチ４４の各表示灯４２ａ，４３ａ，４４ａの表示状態を各スイッチ４２，４３，４４，５１の操作に応じて変化させるようになっている。
【００２１】
以上のように構成されたクリーニングボックスは、例えばコンビニエンスストアの店舗内に設置され、コンビニエンスストアのクリーニングサービスに用いられる。このクリーニングサービスは会員制になっており、利用者はコンビニエンスストア等で会員登録の手続をすることにより、クリーニングサービスの固有情報や利用者の識別情報等を記憶した会員カードが利用者に配布される。
【００２２】
前記クリーニングボックスを利用する場合には、来店した利用者が洗濯物の受け付けまたは仕上品の受け取りを店員に申し出ると、店員が遠隔操作ユニット５０によってカードリーダ４１へのカードの受入を可能な状態にする。この後、利用者が本体側操作部４０を操作することにより、洗濯物Ａの投入または仕上品Ｂの受取りを行うようになっている。
【００２３】
即ち、洗濯物Ａを預ける場合には、投入スイッチ４２を操作すると、第１の施錠機構２２が解錠され、洗濯物投入口２０ａの投入扉２１を開放して洗濯物投入口２０ａに洗濯物Ａを投入することにより、洗濯物Ａが洗濯物収納部２０に収納される。この場合、利用者は洗濯物Ａを専用の収納袋に収納するとともに、所定の伝票を添付してクリーニングボックスに投入する。
【００２４】
洗濯物収納部２０に収納された洗濯物Ａは、所定の洗濯業者によって定期的に回収される。その際、洗濯業者の鍵により洗濯物取出口２０ｂの取出扉２３の錠前２４が手動で解錠され、洗濯物収納部２０内の洗濯物Ａが洗濯物取出口２０ｂから取出される。この後、所定の仕上日になると、洗濯業者によって洗濯された仕上品Ｂが仕上品収納部３０内に収納される。その際、仕上品受取口３０ａの受取扉３１は、洗濯業者の鍵によって第２の施錠機構３２を手動で解錠することにより開放される。
【００２５】
そして、仕上品Ｂの受け取りに来店した利用者が受取スイッチ４３を操作すると、第２の施錠機構３２が解錠され、仕上品受取口３０ａの受取扉３１を開放して仕上品収納部３０内の仕上品Ｂを取出すことにより、仕上品Ｂを受取ることができる。
【００２６】
ここで、前記利用時における制御部６０の動作を図８乃至図１０のフローチャートを参照して説明する。尚、以下の動作において、ステップＳ３の動作を除き、表示灯の点滅はそのスイッチを操作可能である状態を示し、表示灯の点灯はそのスイッチが操作された状態を示す。また、表示灯の消灯はそのスイッチが操作不能な状態であることを示す。
【００２７】
まず、カード受入スイッチ５１が操作される前は、図１１に示すように投入スイッチ４２、受取スイッチ４３及び取消スイッチ４４の各表示灯４２ａ，４３ａ，４４ａを消灯状態にする（Ｓ１）。次に、カード受入スイッチ５１が操作されると（Ｓ２）、各表示灯４２ａ，４３ａ，４４ａを所定の順序で順次点滅させる（Ｓ３）。即ち、図１２（ａ）  （ｂ）  （ｃ）  に示すように取消スイッチ４４の表示灯４４ａ、投入スイッチ４２の表示灯４２ａ、受取スイッチ４３の表示灯４３ａの順にそれぞれを所定時間（例えば１秒間）ずつ点滅させる動作を繰り返す。次に、利用者によってカードが投入されると（Ｓ４）、カードリーダ４１によってカードが読み取られる（Ｓ５）。ここで、投入されたカードが適正な会員カードでないと判定された場合は（Ｓ６）、カードを返却し（Ｓ７）、ステップＳ２に戻る。また、ステップＳ６において適正な会員カードであると判定された場合は、図１３に示すように各表示灯４２ａ，４３ａ，４４ａを点滅させる（Ｓ８）。
【００２８】
次に、利用者によって投入スイッチ４２が操作されると（Ｓ９）、第１の施錠機構２２を解錠するとともに（Ｓ１０）、図１４に示すように投入スイッチ４２の表示灯４２ａを点灯し、受取スイッチ４３の表示灯４３ａを消灯し、取消スイッチ４４の表示灯４４ａを点滅させる（Ｓ１１）。ここで、取消スイッチ４４が操作された場合は（Ｓ１２）、第１の施錠機構２２を施錠し（Ｓ１３）、ステップＳ８に戻る。また、取消スイッチ４４が操作されず、投入扉２１が開放されたことを検知すると（Ｓ１４）、図１５に示すように投入スイッチ４２の表示灯４２ａを点灯し、受取スイッチ４３及び取消スイッチ４４の表示灯４３ａ，４４ａを消灯する（Ｓ１５）。この後、投入扉２１が閉じられたことを検知すると（Ｓ１６）、第１の施錠機構２２を施錠し（Ｓ１７）、カードリーダ４１からカードを返却する（Ｓ１８）。そして、カードがカード投入口４１ａから取除かれ、カードセンサ４５によってカードが検知されなくなると（Ｓ１９）、図１１に示すように各投入スイッチ４２，４３，４４の各表示灯４２ａ，４３ａ，４４ａを消灯状態にする（Ｓ２０）。
【００２９】
また、カードが投入された後、利用者によって受取スイッチ４３が操作された場合には（Ｓ２１）、第２の施錠機構３２を解錠するとともに（Ｓ２２）、図１６に示すように投入スイッチ４２の表示灯４２ａを消灯し、受取スイッチ４３の表示灯４３ａを点灯し、取消スイッチ４４の表示灯４４ａを点滅させる（Ｓ２３）。ここで、取消スイッチ４４が操作された場合は（Ｓ２４）、第２の施錠機構３２を施錠し（Ｓ２５）、ステップＳ８に戻る。また、取消スイッチ４４が操作されず、受取扉３１が開放されたことを検知すると（Ｓ２６）、図１７に示すように受取スイッチ４３の表示灯４３ａを点灯し、投入スイッチ４２及び取消スイッチ４４の表示灯４２ａ，４４ａを消灯する（Ｓ２７）。この後、受取扉３１が閉じられたことを検知すると（Ｓ２８）、第２の施錠機構３２を施錠し（Ｓ２９）、前記ステップＳ１８からＳ２０の動作を行う。
【００３０】
このように、本実施形態のクリーニングボックスによれば、投入スイッチ４２、受取スイッチ４３及び取消スイッチ４４ごとに表示灯４２ａ，４３ａ，４４ａを設け、各表示灯４２ａ，４３ａ，４４ａの表示状態を各スイッチ４２，４３，４４の操作に応じて変化させるようにしたので、各表示灯４２ａ，４３ａ，４４ａの表示状態の変化によって操作手順を視覚的に認識することができ、利用者が操作手順に戸惑うことなく各スイッチ４２，４３，４４を円滑に操作することができる。
【００３１】
この場合、各スイッチ４２，４３，４４が何れも操作されていないときは各表示灯４２ａ，４３ａ，４４ａをそれぞれ点滅させ、何れかのスイッチ４２，４３，４４が操作されると、操作されたスイッチの表示灯を点灯し、操作されていないスイッチのうち操作可能なスイッチの表示灯を点滅させ、操作されていないスイッチのうち操作不能なスイッチの表示灯を消灯するようにしたので、何れかのスイッチ４２，４３，４４が操作された後、他のスイッチの操作可否状態を容易に判別することができ、操作手順をより明確に認識することができる。
【００３２】
また、カード受入スイッチ５１によってカードを受入可能な状態にされると、各スイッチ４２，４３，４４の表示灯４２ａ，４３ａ，４４ａを順次点滅させることにより、前記スイッチ操作における各表示状態とは異なった表示状態にするようにしたので、カードの投入待ちであることを容易に認識することができ、スイッチ操作のみならず、カードの投入を含む操作手順を明確に認識することができる。
【００３３】
【発明の効果】
以上説明したように、請求項１のクリーニングボックスによれば、各スイッチの操作手順を視覚的に認識することができるので、利用者が操作手順に戸惑うことなく各スイッチを円滑に操作することができ、利用者に対するサービスの向上を図ることができる。
【００３４】
また、請求項２のクリーニングボックスによれば、請求項１の効果に加え、何れかのスイッチが操作された後、他のスイッチの操作可否状態を容易に判別することができるので、操作手順をより明確に認識することができる。
【００３５】
また、請求項３のクリーニングボックスによれば、請求項２の効果に加え、カードの投入待ちであることを容易に認識することができるので、スイッチ操作のみならず、カードの投入を含む操作手順を明確に認識することができる。
【図面の簡単な説明】
【図１】本発明の一実施形態を示すクリーニングボックスの正面図
【図２】クリーニングボックスの斜視図
【図３】洗濯物収納部の側面断面図
【図４】仕上品収納部の側面断面図
【図５】本体側操作部の正面図
【図６】遠隔操作ユニットの正面図
【図７】制御系を示すブロック図
【図８】制御部の動作を示すフローチャート
【図９】制御部の動作を示すフローチャート
【図１０】制御部の動作を示すフローチャート
【図１１】表示灯の表示状態を示す正面図
【図１２】表示灯の表示状態を示す正面図
【図１３】表示灯の表示状態を示す正面図
【図１４】表示灯の表示状態を示す正面図
【図１５】表示灯の表示状態を示す正面図
【図１６】表示灯の表示状態を示す正面図
【図１７】表示灯の表示状態を示す正面図
【符号の説明】
２０…洗濯物収納部、２１…投入扉、３０…仕上品収納部、３１…受取扉、４１…カードリーダ、４２…投入スイッチ、４２ａ…表示灯、４３…受取スイッチ、４３ａ…表示灯、４４…取消スイッチ、４４ａ…表示灯、５１…カード受入スイッチ、６０…制御部。
【図１】
2004326183.tif 000003
【図２】
2004326183.tif 000004
【図３】
2004326183.tif 000005
【図４】
2004326183.tif 000006
【図５】
2004326183.tif 000007
【図６】
2004326183.tif 000008
【図７】
2004326183.tif 000009
【図８】
2004326183.tif 000010
【図９】
2004326183.tif 000011
【図１０】
2004326183.tif 000012
【図１１】
2004326183.tif 000013
【図１２】
2004326183.tif 000014
【図１３】
2004326183.tif 000015
【図１４】
2004326183.tif 000016
【図１５】
2004326183.tif 000017
【図１６】
2004326183.tif 000018
【図１７】
2004326183.tif 000019
【手続補正書】
【提出日】平成15年5月22日(2003.5.22)
【手続補正１】
【補正対象書類名】明細書
【補正対象項目名】００１９
【補正方法】変更
【補正の内容】
【００１９】
遠隔操作ユニット５０は、例えば店内のカウンタ内に配置され、その幅方向両端には壁面等に取付けるための取付部５０ａが設けられている。遠隔操作ユニット５０は、カードリーダ４１へのカードの受入れの可否を選択するカード受入スイッチ５１と、クリーニングボックス本体１０側の異常の発生を表示する異常表示灯５２と、仕上品収納部３０内の洗濯物Ａが満杯になったことを表示する満杯表示灯５３とを備え、各表示灯５２、５３はそれぞれＬＥＤ等の発光体からなる。


【手続補正２】
【補正対象書類名】図面
【補正対象項目名】図１０
【補正方法】変更
【補正の内容】
【図１０】
2004326183.tif 000020